(57)【要約】      （修正有）【課題】被験者に対する負担が小さい近赤外光生体計測装置及びそのプローブを提供する。【解決手段】赤外光を照射する赤外発光素子１２と、赤外発光素子１２の出力の変動を検出する出力変動検出素子１３と、生体で散乱された赤外光を検出する受光素子１５ａ〜１５ｄと、を備えたプローブと、受光素子１５ａ〜１５ｄの出力データに基づいて生体の情報を算出する演算部と、を有し、演算部は、出力変動検出素子１３の検出結果に応じて生体の情報の補正を行う赤外光生体計測装置による。【選択図】図５
2017023455.tif 000002
【特許請求の範囲】
【請求項１】
赤外光を照射する赤外発光素子と、前記赤外発光素子の出力の変動を検出する出力変動検出素子と、生体で散乱された前記赤外光を検出する受光素子と、を備えたプローブと、
前記受光素子の出力データに基づいて前記生体の情報を算出する演算部と、を有し、
前記演算部は、前記出力変動検出素子の検出結果に応じて前記受光素子の検出結果を補正して生体内の情報を求めることを特徴とする赤外光生体計測装置。
【請求項２】
前記赤外発光素子は、発光ダイオードであることを特徴とする請求項１に記載の赤外光生体計測装置。
【請求項３】
前記プローブは、前記赤外発光素子に駆動電流を供給する駆動回路を備え、前記赤外発光素子の温度によらずに常に一定の駆動電流で発光することを特徴とする請求項２に記載の赤外光生体計測装置。
【請求項４】
前記演算部は、前記受光素子の検出値を前記変動検出素子の検出値で除算することにより前記出力変動検出素子の出力変動成分の補正を行うことを特徴とする請求項１乃至請求項３のいずれか１項に記載の赤外光生体計測装置。
【請求項５】
前記受光素子は、前記発光素子の周囲に複数個設けられており、前記プローブは、前記受光素子の検出信号を時分割で順次転送するセレクター回路を有していることを特徴とする請求項４に記載の赤外光生体計測装置。
【請求項６】
赤外光を照射する赤外発光素子と、前記赤外発光素子の出力の変動を検出する出力変動検出素子と、生体で散乱された前記赤外光を検出する受光素子と、前記赤外発光素子の駆動電流を供給する駆動回路とを備え、
前記駆動回路は温度によらずに常に一定の駆動電流を前記赤外発光素子に供給することを特徴とする赤外光生体計測装置のプローブ。
【請求項７】
前記赤外発光素子は、発光ダイオードであることを特徴とする請求項６に記載の赤外光生体計測装置のプローブ。
【請求項８】
前記受光素子は前記発光素子の周囲に複数設けられており、前記受光素子の検出信号を時分割で順次転送するセレクター回路を有していることを特徴とする請求項７に記載の赤外光生体計測装置のプローブ。
【発明の詳細な説明】
【技術分野】
【０００１】
本発明は、生体に近赤外光を照射して生体内部の情報を取得する近赤外光生体計測装置及びそのプローブに関する。
【背景技術】
【０００２】
近赤外光を照射して、生体の内部から散乱される光の強度変化を検出する近赤外分光法（NIRS）は、生体に傷つけることなく、脳内の血液の流量やヘモグロビンの状態を測定することができる方法として注目されている。
【０００３】
近赤外生体計測装置では、生体の表面にプローブを取り付けて測定を行う。十分な感度で測定を行うためには、照射する赤外光の強度の安定性が必要とされる。このため、温度管理された本体側にレーザー発振器を設け、光ファイバーでプローブに赤外光を導くものが知られている。
【０００４】
しかし、プローブに太く重い光ファイバーケーブルが繋がれることになるため、被験者
の負担が大きい。
【０００５】
また、プローブ側に赤外発光ダイオード（赤外ＬＥＤ）を出力安定化回路とともに搭載した装置も提案されている。この場合には、赤外ＬＥＤに加えて出力安定化回路を搭載することで、プローブが大型化し重くなるため、プローブを粘着テープで取り付けた際に皮膚への負担が大きくなる。
【０００６】
このため、例えば子供などの体の小さな被験者等の場合には、大きなプローブが不快感を与えてしまい、検査に非協力的になってしまいスムーズな検査が行えない場合がある。
【先行技術文献】
【特許文献】
【０００７】
【特許文献１】特開２００５−１１１１６５号公報
【特許文献２】特開２００６−１７０８４号公報
【特許文献３】特開２００８−１７８５６３号公報
【発明の概要】
【発明が解決しようとする課題】
【０００８】
本発明は、被験者に対する負担が小さい近赤外光生体計測装置及びそのプローブを提供することを目的とする。
【課題を解決するための手段】
【０００９】
下記開示の一観点によれば、赤外光を照射する赤外発光素子と、前記赤外発光素子の出力の変動を検出する出力変動検出素子と、生体で散乱された前記赤外光を検出する受光素子と、を備えたプローブと、前記受光素子の出力データに基づいて前記生体の情報を算出する演算部と、を有し、前記演算部は、前記出力変動検出素子の検出結果に応じて前記受光素子の検出結果を補正して生体内の情報を求める赤外光生体計測装置が提供される。
【００１０】
さらに別の一観点によれば、赤外光を照射する赤外発光素子と、前記赤外発光素子の出力の変動を検出する出力変動検出素子と、生体で散乱された前記赤外光を検出する受光素子と、前記赤外発光素子の駆動電流を供給する駆動回路とを備え、前記駆動回路は温度によらずに常に一定の駆動電流を前記赤外発光素子に供給する赤外光生体計測装置のプローブが提供される。
【発明の効果】
【００１１】
上記観点の近赤外光生体計測装置によれば、赤外発光素子の出力変動による受光素子の検出データの変動を出力変動検出素子の出力値で補正する。
【００１２】
これにより、プローブ側に赤外発光素子の出力を安定化させる制御回路が不要となり、プローブを小型化でき、被験者に対する負担が小さい近赤外光生体計測装置を実現できる。
【図面の簡単な説明】
【００１３】
【図１】図１は、赤外光に対する生体内のヘモグロビンのモル吸光係数のスペクトルを示すグラフである。
【図２】図２は、血流量の変化に対する酸素化ヘモグロビン及び脱酸素化ヘモグロビンの濃度変化を示す図である。
【図３】図３は、近赤外光を用いた脳機能の計測方法を示す図である。
【図４】図４は、実施形態に係る近赤外光生体計測装置の概略構成を示す図である。
【図５】図５は、図４の近赤外光生体計測装置のブロック図である。
【図６】図６（ａ）は、図４のプローブの発光素子と受光素子の配置を示す平面図であり、図６（ｂ）は図４のプローブ内の発光素子と受光素子の配置を示す断面図である。
【図７】図７は、図４の近赤外光生体計測装置を用いた測定方法のフローチャートである。
【図８】図８は、図７の計測処理（ステップＳ２）のフローチャートである。
【図９】図９は、発光ダイオード、受光素子及びセレクターの動作を示すタイミングチャートである。
【図１０】図１０（ａ）〜図１０（ｃ）は、変形例に係る出力変動検出素子１３の配置を示す図である。
【発明を実施するための形態】
【００１４】
実施形態の説明に先立って、基礎となる予備的事項について説明する。
【００１５】
赤外光の中でも、波長６５０ｎｍ〜１０００ｎｍの近赤外光は、生体に対する透過率が高く、生体内部の奥深くまで届く生体の窓とも呼ばれている。この生体の窓付近の近赤外光を生体に照射すると、生体の内部でその一部が散乱されて表面に戻る。
【００１６】
この散乱光の強度変化を検出することで、生体に傷をつけることなく、血流量の変化などの内部の情報をリアルタイムに取得できる。
【００１７】
図１は、赤外光に対する生体内のヘモグロビンの吸光係数のスペクトルを示すグラフである。
【００１８】
生体内のヘモグロビンには、酸素と結合した状態の酸素化ヘモグロビンと、酸素が離脱した脱酸素化ヘモグロビンが含まれている。図示のように、酸素化ヘモグロビンはより長波長側（８００ｎｍ以上）の赤外光に対する吸収率が相対的に大きく、脱酸素化ヘモグロビンは短波長側（８００ｎｍ以下）の赤外光に対する吸収率が大きい。
【００１９】
したがって、８５０ｎｍ付近の波長の赤外光を生体に照射したときの散乱光の強度は酸素化ヘモグロビンの濃度変化の影響が支配的となる。また７５０ｎｍ付近の波長の赤外光に対しては、脱酸素化ヘモグロビンの濃度変化が支配的となる。２波長の赤外光を用いることで、酸素化ヘモグロビン及び脱酸素化ヘモグロビンの濃度変化を知ることができる。
【００２０】
図２は、血流量の変化に対する酸素化ヘモグロビン及び脱酸素化ヘモグロビンの濃度変化を示す図である。
【００２１】
図２に示すように、血液の流量が増加すると、酸素化ヘモグロビンの濃度が増加し、脱酸素化ヘモグロビンの濃度が減少する。
【００２２】
したがって、酸素化ヘモグロビン及び脱酸素化ヘモグロビンの濃度変化から血流量の変化を検出でき、これを脳機能の検査への応用が可能となる。
【００２３】
図３は、近赤外光による脳機能の検査方法を示す図である。
【００２４】
図３に示すように、赤外発光素子９１を検査対象とする被験者１０１の脳１０２の所定部位として、例えば視覚野の上に配置する。そして、赤外発光素子９１より赤外光を照射する。照射された赤外光は、脳１０２の表面付近にある領域（視覚野）１０２ａで散乱され、その散乱光が受光素子９２によって検出される。
【００２５】
この状態で、例えば目に光刺激を与え、その刺激に対して視覚野の血流が変化するかを検出すれば、言葉が通じない幼児などの視覚機能の異常を調べることができる。また、視覚の異常が見つかった場合に、その原因が目そのものにあるのか神経系にあるのかを調べることができる。
【００２６】
ところが、従来の検査装置において、赤外発光素子９１として発光ダイオードを使用すると、発光ダイオードの照射強度は温度依存性によって時間の経過とともに変動することがある。
【００２７】
このような発光ダイオードの温度変化による出力変動は、プローブを体に取り付けた後の体温による温度変化や、測定中の体温変動等によって生じ、血流の変化の検出の妨げとなることがある。
【００２８】
そこで、予め発光ダイオードの照射強度の温度依存性を測定しておき、プローブの温度に応じて発光ダイオードに供給する電流を制御する方法が提案されている。
【００２９】
しかし、このよう機能を実現するためには、プローブにフラッシュメモリや制御用ＩＣといった周辺回路を追加する必要があり、プローブが重く大きくなってしまう。
【００３０】
プローブは粘着テープなどで体に取り付けるが、プローブが大きく重いと、皮膚への不快感が大きくなり痛みを伴う場合もある。
【００３１】
また、幼児などに使用する場合には、大きく重いプローブの取付けを嫌がるなどしてスムーズに検査を進めることができないという問題がある。
【００３２】
以下、温度変化による測定結果の誤差を防ぎつつ、プローブを極力小型化することで、被験者に対する負担なく検査を行える近赤外光生体計測装置について説明する。
【００３３】
（実施形態）
図４は、実施形態に係る近赤外光生体計測装置の概略構成を示す図である。
【００３４】
図４に示すように、本実施形態に係る近赤外光生体計測装置１００は、生体に取り付けるプローブ１０を備えている。このプローブ１０は制御部２０に接続されており、その制御部２０によって制御される。制御部２０は、無線通信路を介して端末装置３０と接続されている。
【００３５】
端末装置３０は、タブプレット型の端末であり、プローブ２０の測定結果の処理をおこなうとともに、表示部３２に測定結果を表示する。表示部３２は、表示画面と入力手段が一体化したタッチパネルよりなり、ユーザーからの測定条件や測定の開始及び終了の指示を受け付ける。
【００３６】
なお、図示の例では、端末装置３０を制御部２０と別体としているが、これに限定されるものではなく、端末装置３０と制御部２０とを一体化させた構成としてもよい。
【００３７】
また、端末装置３０は、タッチパネルと画面が一体化したタブレット型に限定されるものではなく、キーボード等の入力手段を備えたコンピュータとしてもよい。この場合には、端末装置３０と制御部２０との接続を例えばユニバーサルシリアルバス（ＵＳＢ）等による有線接続とすることができ、又は無線ＬＡＮによる無線接続としてもよい。
【００３８】
以下、プローブ１０及び制御部２０の構成について更に説明する。
【００３９】
図５は、図４の近赤外生体計測装置１００の制御系統のブロック図である。
【００４０】
図５に示すように、プローブ１０には、近赤外光を放射する赤外ＬＥＤ１２が設けられている。この赤外ＬＥＤ１２は、第１の波長λ１の赤外光を放射する第１の発光素子１２ａと、第２の波長λ２の赤外光を放射する第２の発光素子１２ｂとを備え、２つ波長の赤外光を選択的に出力できるようになっている。
【００４１】
第１の波長λ１は、酸素化ヘモグロビンの吸光係数が相対的に大きくなる波長（例えば８８０ｎｍ）から選択される。また、第２の波長λ２は、脱酸素化ヘモグロビンの吸光係数が相対的に大きくなる波長（例えば７３０ｎｍ）から選択される。
【００４２】
この赤外ＬＥＤ１２の第１の発光素子１２ａには第１の定電流回路１１ａが接続され、第２の発光素子１２ｂには第２の定電流回路１１ｂが接続されている。
【００４３】
これらの定電流回路１１ａ、１１ｂは、制御部２０からの制御信号に基づいて、赤外発光素子１２ａ、１２ｂに駆動電流を供給するものであり、プローブ１０の温度によらずに予め設定された一定の電流を供給する。
【００４４】
このように、プローブ１０では、赤外ＬＥＤ１２の出力を一定化させる制御を行わずに、一定電流で赤外ＬＥＤ１２を駆動させることで駆動回路の小型化を図っている。
【００４５】
なお、３波長またはそれ以上の波長で測定を行う場合には、赤外ＬＥＤ１２に３波長又はそれ以上の波長に対応した３又はそれ以上の複数の赤外発光素子を設ければよい。
【００４６】
図６（ａ）は、図４のプローブの発光素子と受光素子の配置を示す平面図であり、図６（ｂ）は図４のプローブの発光素子と受光素子の配置を示す断面図である。なお、図６（ｂ）は図６（ａ）のＩ−Ｉ線の断面に対応する。
【００４７】
図６（ａ）に示す例では、プローブ１０の中央部に赤外ＬＥＤ１２が設けられている。この赤外ＬＥＤ１２から照射され、生体で散乱された光をむらなく検出するべく、赤外ＬＥＤ１２の周りを囲むように、４つの受光素子１５ａ〜１５ｄが配置されている。
【００４８】
本実施形態では、図６（ｂ）に示すように、これらの受光素子１５ａ〜１５ｄは、例えばフォトダイオードなどの素子よりなり、筐体１０ａ内に収められた基板１０ｂの表面に、赤外ＬＥＤ１２と共に実装されている。
【００４９】
一方、赤外ＬＥＤ１２が実装された基板１０ｂの裏面には、フォトダイオードなどよりなる出力変動検出素子１３が取り付けられている。この出力変動検出素子１３は、赤外ＬＥＤ１２から漏れ出て基板１０ｂの背面側に拡散した光を検出することで、赤外ＬＥＤ１２の出力光の強度を検出する。
【００５０】
図５のブロック図に示すように、出力変動検出素子１３の検出信号は、増幅回路１４で増幅された上で、セレクター１７を介して制御部２０に送られる。
【００５１】
また、受光素子１５ａ〜１５ｄの検出信号は、増幅回路１６で増幅された上で、セレクター１７を介して制御部２０に送られる。セレクター１７は、制御部２０からの制御信号に基づいて、出力変動検出素子１３及び受光素子１５ａ〜１５ｄの信号を順次切り替えて制御部２０に出力する。これにより、転送線路の本数を減らして本体２０とプローブ１０とを結ぶ配線を細いものとすることができ、プローブ１０を装着する際の被験者の負担を減らすことができる。
【００５２】
なお、出力変動検出素子１３及び受光素子１５ａ〜１５ｄを増幅回路１４、１６を介して制御部２０に複数の転送線路を通じパラレル接続するようにしてもよい。
【００５３】
制御部２０は、プローブ１０の各部の制御を行うとともに、出力変動検出素子１３及び受光素子１５ａ〜１５ｄの検出信号をデジタル信号に変換して端末装置３０の解析部３１に出力する。
【００５４】
端末装置３０は、出力変動検出素子１３及び受光素子１５ａ〜１５ｄの検出データに基づいて、解析装置３１において生体内の酸素化ヘモグロビン及び脱酸素化ヘモグロビンの濃度を算出する。
【００５５】
解析装置３１の解析結果は、端末装置３０の表示部３２で表示され、それに基づいて生体内の血流量の変化を知ることができる。
【００５６】
以下、近赤外生体計測装置１００による生体の検査方法について説明する。
【００５７】
図７は、図４の近赤外光生体計測装置を用いた測定方法のフローチャートである。
【００５８】
まず、測定開始に先立って、プローブ１０を生体に取り付ける。例えば、脳内の視覚機能の検査を行う場合には、プローブ１０を被験者の視覚野の上に取り付ければよい。
【００５９】
次に、図７のステップＳ１において、近赤外生体計測装置１００の制御部２０は、測定回数ｎを１に設定する（初期化）。
【００６０】
次に、ステップＳ２に移行して、初回（ｎ＝１）の測定処理を行う。初回の測定処理では、酸素化ヘモグロビン濃度及び脱酸素化ヘモグロビン濃度の基準値を計測する。この基準値は、生体に各種の刺激を与える前の生体の通常時の値であり、以後の計測データとの比較によるヘモグロビンの濃度変化の算出の基準となる。
【００６１】
具体的な測定方法について、図８を参照しつつ説明する。図８は、図７の計測処理（ステップＳ２）のフローチャートである。また、図９は、図８の処理に伴うプローブ１０及び制御部２０の動作を示すタイミングチャートである。
【００６２】
図８のステップＳ１１において、制御部２０は、プローブ１０の第１の定電流回路１１ａを動作させて第１の発光素子１２ａをＯＮ状態とする。
【００６３】
次にステップＳ１２に移行し、制御部２０は、出力変動検出素子１３の検出値を取得する。
【００６４】
次に、ステップＳ１３に移行し、制御部２０からセレクター１７に制御信号を送り、セレクター１７を切り替えながら４つの受光素子１５ａ〜１５ｄの検出結果を取得する。
【００６５】
その後、ステップＳ１４に移行し、制御部２０は、第１の定電流回路１１ａに制御信号を与えて第１の発光素子１１ａをＯＦＦ状態とする。
【００６６】
以上のステップで、第１の波長における散乱光強度の測定が完了する。
【００６７】
次に、ステップＳ１５〜Ｓ１８において、第２の発光素子１２ｂによる測定を行う。
【００６８】
ステップＳ１５において、制御部２０は、プローブ１０の第１の定電流回路１１ｂに制御信号を与えて第２の発光素子１２ｂをＯＮ状態とする。
【００６９】
次にステップＳ１６に移行し、制御部２０は、出力変動検出素子１３の検出値を取得する。これにより、第２の発光素子１２ｂの出力の基準値が求まる。
【００７０】
次に、ステップＳ１７に移行し、制御部２０からセレクター１７に制御信号を送り、セレクター１７を切り替えながら４つの受光素子１５ａ〜１５ｄの検出結果を取得する。
【００７１】
その後、ステップＳ１８に移行し、制御部２０は、第２の定電流回路１１ｂの電流出力を停止させて第２の発光素子１２ｂをＯＦＦ状態とする。
【００７２】
その後、ステップＳ１９において、バックグラウンドの測定を行う。このバックグラウンドの測定では、第１の発光素子１２ａ及び第２の発光素子１２ｂをＯＦＦ状態としたまま、出力変動検出素子１３及び受光素子１５ａ〜１５ｄの検出値を取得する。
【００７３】
ステップＳ１３及びＳ１９で取得した受光素子１５ａ〜１５ｄの検出値は積算（又は平均化）された上でその後の計算に用いられる。
【００７４】
以上のステップＳ１１〜Ｓ１９により測定処理が完了する。
【００７５】
次に、図７のステップＳ３に移行し、解析部３１において、酸素化ヘモグロビン及び脱酸素化ヘモグロビンの濃度変化を算出する。ここでは、測定回数ｎが２以上の場合について、解析部３１において酸素化ヘモグロビン濃度及び脱酸素化ヘモグロビン濃度の変化量を算出する。
【００７６】
ここでは、ランバートベールの法則に基づいて以下の計算式から算出する。
2017023455.tif 000003
【００７７】
2017023455.tif 000004
【００７８】
ΔＣｏｘｙ：酸素化ヘモグロビンの濃度変化量
ΔＣｄｅｏｘｙ：脱酸素化ヘモグロビンの濃度変化量
Ｄ：赤外光の光路長（赤外光が生体に侵入する深さによって決まる）
ＩｏＬ１−ｂａｓｅ：第１の波長での１回目の受光素子の測定値（基準値）
ＩｏＬ１−ｎ：第１の波長でのｎ回目の受光素子の測定値
ＩｏＬ２−ｂａｓ：第２の波長での１回目の受光素子の測定値（基準値）
ＩｏＬ２−ｎ：第２の波長でのｎ回目の受光素子の測定値
ＩｉＬ１−ｂａｓｅ：第１の波長での１回目の出力変動検出素子の測定値（基準値）
ＩｉＬ１−ｎ：第１の波長でのｎ回目の出力変動検出素子の測定値
ＩｉＬ２−ｂａｓｅ：第２の波長での１回目の出力変動検出素子の測定値（基準値）
ＩｉＬ２−ｎ：第２の波長でのｎ回目の出力変動検出素子の測定値
εｏｘｙＬ１：第１の波長での酸素化ヘモグロビンのモル吸光係数
εｏｘｙＬ２：第２の波長での酸素化ヘモグロビンのモル吸光係数
εｄｅｏｘｙＬ１：第１の波長での脱酸素化ヘモグロビンのモル吸光係数
εｄｅｏｘｙＬ２：第２の波長での脱酸素化ヘモグロビンのモル吸光係数
上記の式では、出力変動検出素子の測定値で受光素子の測定値を除算することで、赤外ＬＥＤ１２の温度変化による出力の変動成分を補正している。
【００７９】
これにより、赤外ＬＥＤ１２の出力を制御する回路が不要となり、プローブ１０を小型化できる。
【００８０】
その後、解析部３１は、上記の方法で算出した酸素化ヘモグロビン及び脱酸素化ヘモグロビンの濃度を表示部３２に表示する。
【００８１】
その後、ステップＳ４において、測定回数のカウンタｎを１つ増加させる。
【００８２】
ステップＳ５において、制御部２０が測定を終了するか否かの終了判定を行う。
【００８３】
ステップＳ５で測定を終了しないと判定された場合（ＮＯ）には、ステップＳ２に移行して測定処理及び測定データの処理を繰り返す。
【００８４】
一方、ステップＳ５において、測定を終了すると判定された場合（ＹＥＳ）には、測定を終了する。
【００８５】
以上のような測定処理を繰り返す間に、光を目に当てる視覚的な刺激を与え、その際のヘモグロビン濃度の変化から脳内の血流量の変化を検出できる。
【００８６】
本実施形態の赤外光生体計測装置では、プローブ１０の赤外ＬＥＤ１２の光出力を制御せずに、定電流回路１１ａ、１１ｂのみで赤外ＬＥＤ１２を駆動するので、プローブ１０を小型化できる。これにより、被験者に負担の少ない状態で赤外光による検査を行うことができる。
【００８７】
なお、上記の説明では、脳の視覚野を検査する場合を例示したが、本実施形態はこれに限定されるものではない。例えば、被験者の脳内の聴覚をつかさどる部位にプローブ１０を設置したり、嗅覚を司る部位にプローブ１０を設置するなどすることで、聴覚や嗅覚に関する脳機能を検査することができる。
【００８８】
（プローブの変形例）
以下、プローブ１０の出力変動検出素子１３の配置の変形例について説明する。
【００８９】
図１０（ａ）〜図１０（ｃ）は、変形例に係る出力変動検出素子１３の配置を示す図である。
【００９０】
図１０（ａ）に示す例では、基板１０ｂの表面の上方に出力変動検出素子１３が配置されている。この出力変動検出素子１３は、赤外ＬＥＤ１２の出力光の強度を測定する場合に、駆動部１３ｃによって赤外ＬＥＤ１２の前面に配置されて赤外ＬＥＤ１２の出力光の強度を直接測定する。
【００９１】
また、生体に赤外光を照射する際には、駆動部１３ｃによって出力変動素子１３を退避させる。
【００９２】
本変形例では、赤外ＬＥＤ１２の照射光が、直接出力変動検出素子１３に照射されるため、赤外ＬＥＤ１２の出力を比較的精度よく測定できる。
【００９３】
図１０（ｂ）に示す例では、出力変動検出素子１３に変えて、反射ミラー１３ａを、基板１０ｂの表面の上方に配置している。この反射ミラー１３ａは、駆動部１３ｃによって赤外ＬＥＤ１２の前面に配置される。赤外ＬＥＤ１２から照射された赤外光は、反射ミラー１３ａによって反射されて受光素子１５ａ〜１５ｄによって検出される。
【００９４】
本変形例では、受光素子１５ａ〜１５ｄの出力に基づいて赤外ＬＥＤ１２の出力光の強度を検出する。また、生体に赤外光を照射する場合には、駆動部１３ｃにより反射ミラー１３ａを退避させるようになっている。
【００９５】
この変形例では、専用の出力変動検出素子１３を設ける必要がないため、プローブ１０を簡素化できる。また、出力変動検出素子１３の信号を転送する配線が不要となるため、プローブ１０と制御部２０とを結ぶケーブルをより細いものとすることができる。
【００９６】
図１０（ｃ）の変形例では、赤外ＬＥＤ１２の上にハーフミラー１３ｂを配置し、ハーフミラー１３ｂで反射された赤外光を出力変動検出素子１３で検出するようになっている。
【００９７】
本変形例では、測定対象に赤外線を照射すると同時に出力変動検出素子１３で赤外ＬＥＤ１２の出力光の強度を測定することが可能となる。
【００９８】
以下、図４に示す近赤外光生体計測装置の別の応用例について説明する。
【００９９】
（血糖値測定）
近赤外光生体計測装置１００は、被験者の血液中の血糖値測定にも用いることができる。この場合には、赤外ＬＥＤ１２から例えば１５００ｎｍ付近の波長の赤外線を照射する。この波長の赤外線は、血液中のグルコース（糖）に吸収される性質があるため、体内から戻ってくる散乱光の強度から血糖値を測定できる。
【０１００】
この応用例によれば、被験者の皮膚を傷つけることなく、血糖値を測定することができる。
【０１０１】
（体脂肪測定）
近赤外光生体計測装置１００は、体脂肪率の測定にも応用することができる。この場合には、赤外ＬＥＤ１２から体脂肪の吸光度が大きくなる９５０ｎｍ付近の波長の近赤外光を、例えば被験者の上腕部などに照射する。そして、体内から戻ってくる散乱光の強度から、体内の体脂肪率を測定できる。
【０１０２】
（食品検査への応用）
また、近赤外光生体計測装置１００を用いることにより、食品や農作物の糖度測定や脂肪の量を非破壊で測定してもよい。
【符号の説明】
【０１０３】
１０…プローブ、１０ａ…プローブの筐体、１０ｂ…基板、１１ａ、１１ｂ…定電流回路、１２…赤外ＬＥＤ、１２ａ…第１の発光素子、１２ｂ…第２の発光素子、１３…出力変動検出素子、１３ａ…反射ミラー、１３ｂ…ハーフミラー、１３ｃ…駆動部、１４、１６…増幅回路、１５ａ〜１５ｄ…受光素子、１７…セレクター、２０…制御部、３０…端末装置、３１…解析部、３２…表示部。
【図１】
2017023455.tif 000005
【図２】
2017023455.tif 000006
【図３】
2017023455.tif 000007
【図４】
2017023455.tif 000008
【図５】
2017023455.tif 000009
【図６】
2017023455.tif 000010
【図７】
2017023455.tif 000011
【図８】
2017023455.tif 000012
【図９】
2017023455.tif 000013
【図１０】
2017023455.tif 000014